【事件の表示】
　平成　２年特許願第　２８４００号「画像処理装置」拒絶査定に対する審判事件［平成　３年１０月１８日出願公開、特開平　３−２３４１６２］について、次のとおり審決する。
【結　論】
　本件審判の請求は、成り立たない。
【理　由】
１．出願の経緯・本願発明
　本願出願は、平成２年２月９日の出願であって、本願特許請求の範囲の請求項１に係る発明は、その特許請求の範囲の請求項１に記載されたとおりの下記の画像処理装置にある。
「画像データと該画像データを管理する画像データ管理情報を記憶する着脱自在な第１の記憶手段と、前記画像データ管理情報を記憶し、前記第１の記憶手段とは独立した第２の記憶手段と、前記第２の記憶手段の画像データ管理情報に従い、前記第１の記憶手段の画像データを制御する画像データ制御手段と、前記第１の記憶手段の画像データの読み出し要求があった場合に、該画像データの読み出しに先立って該第１の記憶手段の画像データ管理情報と前記第２の記憶手段の画像データ管理情報との同一性を自動的に調べる比較手段とを有し、前記比較手段により画像データ管理情報の相違が検出されると、前記第１の記憶手段の画像データ管理情報を前記第２の記憶手段に転送して、これら記憶手段の画像データ管理情報を対応させることを特徴とする画像処理装置。」
２．刊行物記載発明
　原査定の拒絶の理由で引用された特開昭５９−１７８８７９号公報（以下、「刊行物１」という。）には、「画像情報記憶検索装置」において、
「検索データのバックアップを、オペレータに余計な手間をかけずに、しかも装置の増設なしに行うことができる」ようにすることを目的・効果とし、
「〔発明の概要〕この発明は、複数の画像情報とそれらに個々に付与される検索データとを第１の記憶媒体に記憶し、上記検索データを第２の記憶媒体に記憶し、この第２の記憶媒体の障害が発生した揚合の、障害回復後、前記第１の記憶媒体の検索データを第２の記憶媒体に記憶せしめるようにしたものである。」（２頁左上欄１１〜１８行）、
「２２は光ディスク装置で、上記二次元走査装置２０で読取られて上記主制御装置１１を介して供給される画像情報および上記主制御装置１１で作成される検索データを光ディスク（第１の記憶媒体）、１９に順次記憶するものである。」（２頁左下欄１〜５行）、
「検索データ（管理情報）」（２頁右下欄１０行）、
「検索データは・・・、画像情報ごとに順に入れる固有番号としてのダイレクト番号と、性別、従業員番号、名前などの複数の検索キーからなる検索コードと、この検索コードに対応する画像情報の光ディスクにおける画像情報セクタ数Ｌ、画像データ先頭アドレスとしてのトラックナンバＡ・ＡＤＲとセクタナンバＳ・ＡＤＲ、画像サイズＳからなる記憶アドレスとから構成されるようになっている。」（２頁右下欄１３〜３頁左上欄１行）、
「磁気ディスク２８は、たとえば検索データが記憶される検索データ記憶エリア２８ａ、光ディスク１９における画像情報記憶先頭アドレス（ＩＰＡ）が記憶されるＩＰＡ記憶エリア２８ｂ、および光ディスク１９における管理情報記憶末尾アドレス（ＭＰＡ）が記憶されるＭＰＡ記憶エリア２８ｃによって構成されている。」（３頁左上欄８〜１４行）、
「画像情報の登録（記憶）について説明すると、キーボード２３により登録モードに選択設定し、登録する画像情報の検索コードを投入する。このとき、ＣＰＵ１２は磁気ディスク装置２７を用いて磁気ディスク２８上の検索データ記憶エリア２８ａ、ＩＰＡ記憶エリア２８ｂ、ＭＰＡ記憶エリア２８ｃのデータを読出し、ＲＡＭ１８内に記憶せしめる。これにより、ＣＰＵ１２はあらかじめ定義されている検索コードのフォーマットに従って桁数、文字種などで入力データの妥当性がチェック（周期冗長検査ＣＲＣ）され、またすでに登録されている検索コードをチェックし、２重登録にならないかなどのチェックを行い、それらのチェックの結果正しい検索コードであればメインメモリ１３に記憶される。」（３頁左上欄１７〜同頁右上欄１２行）、
「記録キー（図示しない）を投入する。すると、ＣＰＵ１２は画像バッファ２９に記憶されている一単位分の画像情報を・・・・・・ページバッファ１４に記憶せしめる。」（３頁左下欄４〜１０行）、
「そして、一頁分の圧縮情報がページバッファ１４に記憶されたとき、ＣＰＵ１２はそのページバッファ１４の最終アドレスにより画像情報の長さを算出し、この算出結果（ｌ）をＲＡＭ１８のＩＰＡより差し引いて、その差し引き結果をＨＡとする。ついで、ＣＰＵ１２は上記検索コードとそのＨＡとにより登録する検索データを作成し、その長さ（Ｍ）を算出し、この算出結果（Ｍ）とＲＡＭ１８のＭＰＡ記憶エリア１８ｂの内容とを加えた結果（ＭＰＡ+Ｍ）とＨＡとを比較する。」（３頁左下欄１０〜２０行）、
「ＣＰＵ１２は（ＭＰＡ+Ｍ）がＨＡより大きい場合、第２図および第５図に示すように光ディスク装置２２を用いて光ディスク１９のＨＡより画像情報を記憶せしめ、ＭＰＡ+１アドレスより検索データを記憶せしめる。この記憶が終了すると、ＣＰＵ１２はＲＡＭ１８内のＩＰＡおよびＭＰＡを新たなアドレスに更新するとともに、磁気ディスク装置２７を用いて磁気ディスク２８上の検索データ記憶エリア２８ａに新しい検索データを記憶せしめ、ＩＰＡ記憶エリア２８ｂに新たなＩＰＡ（ＨＡ）を記憶せしめ、ＭＰＡ記憶エリア２８ｃに新たなＭＰＡを記憶せしめる。」（３頁右下欄３〜１４行）、
「キーボード２３により検索モードに設定するとともに、検索コードを投入する。すると、ＣＰＵ１２はその検索コードをＲＡＭ１８に記憶されている検索コードと順次比較照合し、入力された検索コードと一致する検索コードであるか否かを順次チェックする。一致する検索コードに対しては、その検索コードに対応する画像情報の開始トラック番号および開始セクタ番号を検索する。そして、ＣＰＵ１２はそのトラック番号に対応する光ディスク１９上のトラックの再生を光ディスク２２で行わせる。」（３頁右下欄１８〜４頁左上欄９行）、
「ところで、上記したような検索時に、磁気ディスク２８の故障（障害）により、検索が行えない場合、ＣＰＵ１２は故障と判断し、光ディスク装置２２を用いて先頭アドレスより順にデータを読出し、つまり検索データを１件分ずつ読出し、ＲＡＭ１８に記憶せしめる。これにより、ＣＰＵ１２は前述した検索動作と同様に検索コード一致チェックが行われ、一致する検索コードに対するアドレスにより、そのアドレスに対応する画像情報を光ディスク１９から読出し、ＣＲＴディスプレイ装置２４上に表示せしめるか、あるいは記録装置２５でその画像情報のハードコピー２６を発行せしめる。そして、磁気ディスク２８の故障の解除、たとえば新しい磁気ディスク２８を磁気ディスク装置２７に設定する。これにより、ＣＰＵ１２は光ディスク装置２２を用いて光ディスク１９の検索データを順次読出し、その読出した検索データを磁気ディスク装置２７を用いて新たな磁気ディスク２８上の検索データ記憶エリア２８ａに記憶せしめ、その機能を回復せしめる。このとき、ＣＰＵ１２は１件分ごとの検索データを光ディスク１９から読出すごとに、その検索データに対するＩＰＡ，ＭＰＡを計算し、この計算値により磁気ディスク２８上のＩＰＡ記憶エリア２８ｂ、ＭＰＡ記憶エリア２８ｃの内容を記憶更新せしめる。」（４頁右上欄１〜同頁左下欄６行）、とする発明が記載されている。
３．対比・判断
　上記刊行物１の「２２は光ディスク装置で、上記二次元走査装置２０で読取られて上記主制御装置１１を介して供給される画像情報および上記主制御装置１１で作成される検索データ（管理情報）を光ディスク（第１の記憶媒体）、１９に順次記憶するものである。」との記載から見て、前記検索データ（管理情報）は画像情報を読出す為の情報である点では本件請求項１に係る発明の画像データ管理情報と実質的に変わらないので、上記刊行物１の光ディスク１９は、本件請求項１における「画像データと該画像データを管理する画像データ管理情報を記憶する着脱自在な第１の記憶手段」に相当し、
  上記刊行物１の「磁気ディスク２８は、たとえば検索データが記憶される検索データ記憶エリア２８ａ、光ディスク１９における画像情報記憶先頭アドレス（ＩＰＡ）が記憶されるＩＰＡ記憶エリア２８ｂ、および光ディスク１９における管理情報記憶末尾アドレス（ＭＰＡ）が記憶されるＭＰＡ記憶エリア２８ｃによって構成されている。」との記載から見て、上記刊行物１の磁気ディスク２８は、本件請求項１における「前記画像データ管理情報を記憶し、前記第１の記憶手段とは独立した第２の記憶手段」に相当し、
  上記刊行物１の
「ＣＰＵ１２は（ＭＰＡ+Ｍ）がＨＡより大きい場合、第２図および第５図に示すように光ディスク装置２２を用いて光ディスク１９のＨＡより画像情報を記憶せしめ、ＭＰＡ+１アドレスより検索データを記憶せしめる。この記憶が終了すると、ＣＰＵ１２はＲＡＭ１８内のＩＰＡおよびＭＰＡを新たなアドレスに更新するとともに、磁気ディスク装置２７を用いて磁気ディスク２８上の検索データ記憶エリア２８ａに新しい検索データを記憶せしめ、ＩＰＡ記憶エリア２８ｂに新たなＩＰＡ（ＨＡ）を記憶せしめ、ＭＰＡ記憶エリア２８ｃに新たなＭＰＡを記憶せしめる。」、
 「画像情報の登録（記憶）について説明すると、キーボード２３により登録モードに選択設定し、登録する画像情報の検索コードを投入する。このとき、ＣＰＵ１２は磁気ディスク装置２７を用いて磁気ディスク２８上の検索データ記憶エリア２８ａ、ＩＰＡ記憶エリア２８ｂ、ＭＰＡ記憶エリア２８ｃのデータを読出し、ＲＡＭ１８内に記憶せしめる。」および
「キーボード２３により検索モードに設定するとともに、検索コードを投入する。すると、ＣＰＵ１２はその検索コードをＲＡＭ１８に記憶されている検索コードと順次比較照合し、入力された検索コードと一致する検索コードであるか否かを順次チェックする。一致する検索コードに対しては、その検索コードに対応する画像情報の開始トラック番号および開始セクタ番号を検索する。そして、ＣＰＵ１２はそのトラック番号に対応する光ディスク１９上のトラックの再生を光ディスク２２で行わせる。」とする記載によれば、
上記刊行物１における、磁気ディスク２８の検索データに従い、光ディスク１９の画像データを制御するＣＰＵ１２は、本件請求項１における「第２の記憶手段の画像データ管理情報に従い、第１の記憶手段の画像データを制御する画像データ制御手段」に相当し、
上記刊行物１の画像情報記憶検索装置は画像処理を行っていることから本件請求項１における「画像処理装置」に対応する。それゆえ、
両者は
「「画像データと該画像データを管理する画像データ管理情報を記憶する着脱自在な第１の記憶手段と、
前記画像データ管理情報を記憶し、前記第１の記憶手段とは独立した第２の記憶手段と、前記第２の記憶手段の画像データ管理情報に従い、前記第１の記憶手段の画像データを制御する画像データ制御手段と、」「を特徴とする画像処理装置。」」で一致し、
（１）本件請求項１に係る発明が、
「第１の記憶手段の画像データの読み出し要求があった場合に、該画像データの読み出しに先立って該第１の記憶手段の画像データ管理情報と前記第２の記憶手段の画像データ管理情報との同一性を自動的に調べる比較手段とを有」するのに対し、上記刊行物１記載発明がそのような構成を有しない点、
（２）本件請求項１に係る発明が、
「前記比較手段により画像データ管理情報の相違が検出されると、前記第１の記憶手段の画像データ管理情報を前記第２の記憶手段に転送して、これら記憶手段の画像データ管理情報を対応させる」のに対し、上記刊行物１記載発明がそのような構成を有しない点、
で相違する。
　次に各相違点について審究する。
（相違点（１）について）
　２重系（冗長系）においては、
現用系と予備系とが同一性を保持しなければならないこと、および、同一性を保持するために、内容を比較して異なった部分のみコピーすること、は例えば特開昭５８−１７５０６５号公報に示されているようにそれぞれ周知事項である。
  また、上記刊行物１記載発明は、
（ａ）「上記したような検索時に、磁気ディスク２８の故障（障害）により、検索が行えない場合、ＣＰＵ１２は故障と判断し、光ディスク装置２２を用いて先頭アドレスより順にデータを読出し、つまり検索データを１件分ずつ読出し、ＲＡＭ１８に記憶せしめる。これにより、ＣＰＵ１２は前述した検索動作と同様に検索コード一致チェックが行われ、一致する検索コードに対するアドレスにより、そのアドレスに対応する画像情報を光ディスク１９から読出」し、
（ｂ）「ＣＰＵ１２は光ディスク装置２２を用いて光ディスク１９の検索データを順次読出し、その読出した検索データを磁気ディスク装置２７を用いて新たな磁気ディスク２８上の検索データ記憶エリア２８ａに記憶せしめ、その機能を回復せしめ」ている。
これを換言すると、
（ａ−１）検索時に、検索が行えない場合、ＣＰＵ１２は故障と判断し、
（ａ−２）前記故障のとりあえずの対策として、光ディスク装置２２を用いて検索データを読出し、検索を行い、画像情報を光ディスク１９から読出し、
（ｂ−１）前記故障のリカバリ対策として、光ディスク１９の検索データを読出し、磁気ディスクに記憶している。
上記（ａ−１）の検索時とは、一連の画像読出し要求の中で、「検索が行えない場合」のチェックシーケンスを実行しているものであり、
上記（ａ−２）および（ｂ−１）の「検索が行えない場合」の対策としては、光ディスクの検索データをオリジナルとして、最終的に磁気ディスクにコピーしている。
  以上のことから、
上記刊行物１記載発明には、検索時である、一連の画像読出し要求の中で、「検索が行えない場合」のチェックシーケンスを実行することが示され、
また、２重系（重畳系）において、現用系と予備系との同一性を保持するために、内容を比較して異なった部分のみコピーすることは周知事項である。
さらにまた、同一性の保持の処理は対象となるデータを使用する前に行うこと明らかであり、使用態様が検索であっても同一性の保持の処理を行わないと検索が行えない場合が生じることまた明らかである。
　してみれば、上記相違点（１）は、上記刊行物１記載発明および上記周知事項に基づいて同一性の保持の処理を画像読出し要求の中で行うようにしたものにすぎず、当業者が容易に発明をすることができたものといえる。そして、上記相違点（１）が同一性の保持の処理を画像読出し要求の中で行うようにした点で格別な作用効果を認めることができない。
（相違点（２）について）
  ２重系（冗長系）において、現用系と予備系との同一性を保持するために、内容を比較して異なった部分のみコピーすることは周知事項である。
　また、磁気ディスクに記憶されていた検索情報が破壊された場合、その修復動作として、光ディスクの情報が読み取られ、検索情報が再生され、この検索情報が前記磁気ディスクに記憶されることは、例えば特開昭６１−２８１３２７号公報に示されるように周知事項である。
 また、「検索が行えない場合」の対策として、光ディスクの検索データをオリジナルとして、最終的に磁気ディスクにコピーすることは上記刊行物１に示されている。  
 さらにまた、同一性の保持の処理は対象となるデータを使用する前に行うこと明らかであり、使用態様が検索であっても同一性の保持の処理を行わないと検索が行えない場合が生じることまた明らかである。
　してみれば、上記相違点（２）は、上記刊行物１記載発明および上記周知事項に基づいて当業者が容易に発明をすることができたものといえる。
４．むすび
　以上のとおりであるから、本願特許請求の範囲の請求項１に係る発明は、上記刊行物１記載発明および上記周知事項に基づいて当業者が容易に発明をすることができたものであるから、特許法２９条２項の規定により特許を受けることができない。
　よって、結論のとおり審決する。